(57)【要約】【課題】下横枠材に取り付けた下の押縁の室外側方向への動き及び下方向への動きを規制し、下向きの回転を防止できると共に、下の押縁の外部見付け寸法を小さくできる建具とする。【解決手段】建具を構成する下横枠材に、押縁支持部５３、第１係合受部５０、第２係合受部５１、支持面５２を設け、下の押縁４０の横向片４１に設けた第１係合突部４３、第２係合突部４４を第１係合受部５０、第２係合受部５１にそれぞれ係合して室外側方向への動きを規制し、下の押縁４０の縦向片４２に設けた突起部４５を押縁支持部５３に接して下方向への動きを規制し、この突起部４５と押縁支持部５３の接触部を支点として下の押縁４０の自重により回転力が作用し、第２係合突部４４が支持面４２に接して下方向への回転を防止することで、第１係合突部４３、第２係合突部４４と第１係合受部５０、第２係合受部５１との係合部の高さを小さくして縦向片４２の見付け寸法が小さく、下の押縁４０の外部見付け寸法を小さくする。【選択図】図７
2014227788.tif 000002
【特許請求の範囲】
【請求項１】
室内外に開口する開口部に設けた建具枠に面材を装着した建具であって、
前記建具枠の下横枠材と、その下横枠材に取り付けた下の押縁とで面材装着用の上向凹部を形成し、この上向凹部に面材の下縁部が装着され、面材の下縁部を前記下の押縁を用いて支持し、
前記下横枠材は、見込み方向に向かう横向部の下面に第１係合受部と第２係合受部と支持面を有すると共に、前記横向部の室外側部に押縁支持部を有し、
前記下の押縁は、見込み方向に向かう横向片及び、この横向片の室外側に設けた見付け方向に向かう縦向片を備え、
前記横向片の上面に第１係合突部と第２係合突部を有し、その第１係合突部が前記第１係合受部に係合し、前記第２係合突部が前記第２係合受部に係合し、かつ前記支持面に接し、
前記縦向片の室内側面に設けた突起部が、前記押縁支持部の上面に接し、
前記下の押縁は、突起部と押縁支持部の上面との接触部を支点として自重により回転力が作用し、第２係合突部が支持面に接するようにしたことを特徴とする建具。
【請求項２】
前記下横枠材の横向部の第１係合受部、第２係合受部は、その横向部の下面よりも上方に凹んで形成されている請求項１記載の建具。
【請求項３】
前記下横枠材の横向部の室外側部分に、その下面に開口したビスホールを有し、このビスホールの室外側開口縁を前記第１係合受部とし、
前記下横枠材の横向部の室内側部分に、その下面に開口した凹溝を有し、この凹溝の室外側開口縁を前記第２係合受部とし、かつ凹溝の底面を前記支持面とし、
前記建具枠の縦枠材の室外側部と下横枠材の室外側部が前記ビスホールに螺合したビスで連結されている請求項２記載の建具。
【請求項４】
前記下横枠材の横向部は、前記室外側部分の肉厚が室内側部分の肉厚よりも大きく、その室外側部分の上面が室内側部分の上面より高く、かつ室外側部分の下面と室内側部分の下面が同一高さである請求項３記載の建具。
【請求項５】
前記下横枠材の押縁支持部は、その上面に凹部を有し、
前記下の押縁の縦向片に設けた突起部は、その下面よりも下方に突出し、前記凹部に見込み方向に回転可能に嵌まり合う下向突起を有し、
下の押縁が下横枠材に取り付けられた状態で、前記下向突起が押縁支持部の凹部よりも室外側寄りの上面に接するようにした請求項１−４いずれか１項記載の建具。
【発明の詳細な説明】
【技術分野】
【０００１】
本発明は、カーテンウォール、可動窓、嵌め殺し窓などの建具枠内にガラスなどの面材を装着し、その面材の下縁部を押縁を用いて支持するようにした建具に関する。
【背景技術】
【０００２】
左右の方立間に固定窓を取り付けたカーテンウォールが特許文献１に開示されている。
この固定窓は、上枠と下枠と左右の縦枠を連結した枠体内にガラスを装着し、そのガラスの下縁部を下枠に取り付けた押縁で支持するようにしている。
【先行技術文献】
【特許文献】
【０００３】
【特許文献１】特公平６−６３２９３号公報
【発明の概要】
【発明が解決しようとする課題】
【０００４】
特許文献１に開示された押縁１は、図１に示すように、室内外側方向である見込み方向に向かう横向片１ａと、上下方向である見付け方向に向かう縦向片１ｂとで断面Ｌ字状の長尺材で、その縦向片１ｂがガラス２の室外側面２ａと対向するように横向片１ａを下枠３に係合して取り付けている。
そして、押縁１は下枠３に、室外側方向への動き及び下方向への動きをそれぞれ規制し、下向き方向の回転を防止して取り付ける必要がある。
【０００５】
図１に示す押縁では、押縁１の横向片１ａに第１係合片４と第２係合片５を見込み方向に間隔を置いて設けると共に、下枠３に第１係合受片６と第２係合受片７を見込み方向に間隔を置いて設け、第１係合片４と第１係合受片６の係合部及び第２係合片５と第２係合受片７の係合部で押縁１の室外側方向への動きを規制し、第１係合片４と第２係合受片６との係合部で押縁１の下方向への動きを規制し、第２係合片５と第２係合受片７の係合部で押縁１の下向き方向の回転を防止している。
【０００６】
このために、第１係合片４、第２係合片５を室外側に向かう鉤形状とすると共に、第１係合受片６、第２係合受片７を室内側に向かう鉤形状とし、第１係合片４と第１係合受片６及び第２係合片５と第２係合受片７が見付け方向及び見込み方向に重なり合うように係合しているので、その押縁１と下枠３の係合部の高さ（見付け方向の寸法）Ｈ１が大きく、押縁１の縦向片１ｂの見付け寸法Ｈ２、つまり押縁１の外部見付け寸法が大きくなり、意匠性が低下する。
【０００７】
本発明は前述の課題を解決するためになされたもので、その目的は、下の押縁の室外側方向への動き及び下方向への動きをそれぞれ規制し、下向き方向の回転を防止でき、下の押縁の外部見付け寸法を小さくして意匠性を向上できる建具とすることである。
【課題を解決するための手段】
【０００８】
本発明は、室内外に開口する開口部に設けた建具枠に面材を装着した建具であって、
前記建具枠の下横枠材と、その下横枠材に取り付けた下の押縁とで面材装着用の上向凹部を形成し、この上向凹部に面材の下縁部が装着され、面材の下縁部を前記下の押縁を用いて支持し、
前記下横枠材は、見込み方向に向かう横向部の下面に第１係合受部と第２係合受部と支持面を有すると共に、前記横向部の室外側部に押縁支持部を有し、
前記下の押縁は、見込み方向に向かう横向片及び、この横向片の室外側に設けた見付け方向に向かう縦向片を備え、
前記横向片の上面に第１係合突部と第２係合突部を有し、その第１係合突部が前記第１係合受部に係合し、前記第２係合突部が前記第２係合受部に係合し、かつ前記支持面に接し、
前記縦向片の室内側面に設けた突起部が、前記押縁支持部の上面に接し、
前記下の押縁は、突起部と押縁支持部の上面との接触部を支点として自重により回転力が作用し、第２係合突部が支持面に接するようにしたことを特徴とする建具である。
【０００９】
本発明の建具においては、前記下横枠材の横向部の第１係合受部、第２係合受部は、その横向部の下面よりも上方に凹んで形成することができる。
このようにすれば、下の押縁の横向片を下横枠材の横向部の下面に接近することができるから、下の押縁の外部見付け寸法をより小さくできる。
【００１０】
本発明の建具においては、前記下横枠材の横向部の室外側部分に、その下面に開口したビスホールを有し、このビスホールの室外側開口縁を前記第１係合受部とし、
前記下横枠材の横向部の室内側部分に、その下面に開口した凹溝を有し、この凹溝の室外側開口縁を前記第２係合受部とし、かつ凹溝の底面を前記支持面とし、
前記建具枠の縦枠材の室外側部と下横枠材の室外側部が前記ビスホールに螺合したビスで連結することができる。
このようにすれば、ビスホールを第１係合受部としているから、第１係合受部を特別に形成する必要がない。
また、ビスホールに螺合したビスで下横枠材の室外側部と縦枠材の室外側部を連結しているから、下横枠材と縦枠材を室外寄りで強固に連結できる。
【００１１】
本発明の建具においては、前記下横枠材の横向部は、前記室外側部分の肉厚が室内側部分の肉厚よりも大きく、その室外側部分の上面が室内側部分の上面より高く、かつ室外側部分の下面と室内側部分の下面が同一高さにできる。
このようにすれば、下横枠材の横向部の室外側部にビスホールを形成したことで見付け寸法が大きくなることがない。
【００１２】
本発明の建具においては、前記下横枠材の押縁支持部は、その上面に凹部を有し、
前記下の押縁の縦向片に設けた突起部は、その下面よりも下方に突出し、前記凹部に見込み方向に回転可能に嵌まり合う下向突起を有し、
下の押縁が下横枠材に取り付けられた状態で、前記下向突起が押縁支持部の凹部よりも室外側寄りの上面に接するようにできる。
このようにすれば、突起部の下向突起が押縁支持部の上面の凹部に嵌まり合うことで、下の押縁が取り付けの高さが取り付けられた状態よりも低くなり、その下向突起を押縁支持部の上面に接することで下の押縁は持ち上がって所定の取付高さとなるので、下の押縁を下横枠材の室外側から取り付けできると共に、下の押縁の縦向片の上端面と縦の押縁の下端面との間のクリアランスをゼロとすることが可能である。
【発明の効果】
【００１３】
本発明によれば、第１係合突部、第２係合突部と第１係合受部、第２係合受部との係合部で下の押縁の室外側方向への動きを規制し、突起部と押縁支持部の接触部で下の押縁の下方向への動きを規制し、第２係合突部と支持面との接触部で下向き方向の回転を防止できる。
また、第１係合突部、第２係合突部と第１係合受部、第２係合受部の係合部の高さを小さくして下の押縁の外部見付け寸法を小さくして意匠性を向上できる。
また、下の押縁は、自重で第２係合突部が支持面に接するので、下の押縁が外れることがない。
【図面の簡単な説明】
【００１４】
【図１】従来の建具の下枠と押縁部分の断面図である。
【図２】本発明の実施の形態を示す建具の外観図である。
【図３】図２の縦断面図である。
【図４】図２の横断面図である。
【図５】下の押縁の斜視図である。
【図６】下框の斜視図である。
【図７】図３の障子下部の拡大図である。
【図８】下の押縁の取り付け説明図である。
【図９】下の押縁の取り付け説明図である。
【発明を実施するための形態】
【００１５】
図２に示すように、建具１０は、枠２０内に障子３０を開閉自在に取り付けた可動窓、例えば外倒し窓としてある。
枠２０は、上枠２１、下枠２２、左右の縦枠２３，２３を連結した矩形状である。
障子３０は、障子枠３０ａ内にガラスなどの面材３０ｂを装着したもので、障子枠３０ａが本発明の建具枠である。つまり、建具枠は室内外に開口する開口部に設けられる。
障子枠３０ａは上框３１と下框３２と左右の縦框３３，３３を連結した矩形状で、下框３２が本発明の建具枠の下横枠材で、縦框３３が縦枠材である。
【００１６】
図３に示すように、上框３１は面材装着用の下向凹部３１ａを有し、その下向凹部３１ａに面材３０ｂの上横縁が挿入され、上横室内側シール材３１ｂ、上横室外側シール材３１ｃで面材３０ｂの上横縁を支持している。
【００１７】
下框３２は、見込み方向（室内外側方向）に向かう室外側横向部３２ａと、この室外側横向部３２ａの室内端に見付け方向の上方に向けて設けた中間縦向部３２ｂと、この中間縦向部３２ｂの上端に見込み方向の室内側に向けて設けた室内側横向部３２ｃとでクランク形状で、その室外側横向部３２ａに下の押縁４０が取り付けられている。
この下の押縁４０と室外側横向部３２ａと中間縦向部３２ｂとで面材装着用の上向凹部３２ｄを形成し、その上向凹部３２ｄに面材３０ｂの下縁部が挿入され、下横室内側シール材３２ｅ、下横室外側シール材３２ｆで面材３０ｂの下縁部を支持している。
【００１８】
左右の縦框３３は図４に示すように、見込み方向に向かう室外側部３３ａに縦の押縁３３ｂを取り付けて見付け方向の内側に向かう面材装着用の内向凹部３３ｃを形成し、その内向凹部３３ｃに面材３０ｂの縦縁部が挿入され、室内側縦シール材３３ｄ、室外側縦シール材３３ｅで面材３０ｂの縦縁部を支持している。
【００１９】
次に下の押縁４０の取り付けを説明する。
図５に示すように、下の押縁４０は見込み方向に向かう横向片４１と、この横向片４１の室外側端に見付け方向の上に向けて設けた見付け方向に向かう縦向片４２とで断面略Ｌ字状の長尺材である。
横向片４１の上面４１ａの見込み方向中間に第１係合突部４３が設けられ、この第１係合突部４３よりも見込み方向室内側寄り、好ましくは室内側端に第２係合突部４４が設けてある。
第１係合突部４３及び第２係合突部４４は横向片４１の上面４１ａよりも上方に突出している。
縦向片４２の室内側面４２ａの上向凹部３２ｄを形成する部分、例えば見付け方向中間部、好ましくは横向片４１寄りに突起部４５が設けてある。
この突起部４５は縦向片４２の室内側面４２ａよりも室内側に突出し、その突出端部には下向突起４５ａを有している。
下向突起４５ａは突起部４５の下面４５ｂよりも下方に突出し、見込み方向に略円弧状に湾曲している。
【００２０】
下框３２は図６に示すように、室外側横向部３２ａ及び中間縦向部３２ｂが板状で、室内側横向部３２ｃは中空部を有している。
なお、下框３２は室内側横向部３２ｃを備えていない形状でも良い。つまり、下框３２は横向部と、その横向部の室内側端に設けた縦向部を備えていれば良い。
【００２１】
下框３２の室外側横向部３２ａの下面３２ａ−１に、押縁４０の第１係合突部４３が見込み方向の室外側に動かないように係合する第１係合受部５０及び、第２係合突部４４が見込み方向室外側に動かないように係合する第２係合受部５１を見込み方向に間隔を置いて有し、第１係合受部５０が第２係合受部５１よりも室外側に位置している。
室外側横向部３２ａの下面３２ａ−１における第２係合受部５１よりも室内側寄りに、押縁４０の第２係合突部４４が見付け方向の上方に動かないように接する下向きの支持面５２を有している。
室外側横向部３２ａの室外側端部には、押縁４０の突起部４５が接して押縁４０の下方向への動きを規制する押縁支持部５３を有している。
この押縁支持部５３の上面５３ａに、前記押縁４０の突起部４５の下向突起４５ａが見込み方向に回転可能に嵌まり合う凹部５４が長手方向全長に連続して有している。
凹部５４は押縁支持部５３の室外側端面５３ｂよりも室内側寄りである。
【００２２】
下框３２の室外側横向部３２ａは、上下寸法（肉厚）が小さい板状の室内側部分５５と、この室内側部分５５の室外側端に設けた上下寸法が大きい板状の室外側部分５６を有し、室内側部分５５の下面５５ａと室外側部分５６の下面５６ａはほぼ面一で、室内側部分５５の上面５５ｂよりも室外側部分５６の上面５６ｂが高く、段差５７を有する階段形状である。
そして、室外側部分５６の室外側端に突片５６ｃを室外側に向けて一体に設けてある。突片５６ｃの上面は室外側部分５６の上面５６ｂと面一に連続して押縁支持部５３としてある。
【００２３】
室外側部分５６には、下框３２と縦框３３を連結するビスが螺合するビスホール５８が長手方向に連続し、下面５６ａに開口して形成してある。
これにより、下框３２は室外側部分にビスホール５８を有するので、縦框３３のビス挿通孔から図示しないビスをビスホール５８に螺合して下框３２と縦框３３を、その室外側部分で連結（接合）することができ、面材３０ｂに負荷する風圧や自重、開閉によるねじりに対して框連結部に開きが生じ難くなり、下框３２と縦框３３を強固に連結することができる。
例えば、下框３２の室内側横向部３２ｃの室内端にビスホール３２ｃ−１を形成し、このビスホール３２ｃ−１と前述のビスホール５８とに縦框３３からビスをそれぞれ螺合することで、下框３２と縦框３３を室外側部分と室内側部分とで連結することで、２本のビスで強固に連結でき、ビスの本数を削減しながら框接合部の口開き防止、口開き防止のための他の補強手段の削減ができる。
【００２４】
また、室外側部分５６の上面５６ｂを室内側部分５５の上面５５ｂよりも上方とすることで、室外側部分５６の上下寸法を室内側部分５５の上下寸法よりも大きくし、各部分５５，５６の下面５５ａ，５６ａをほぼ面一とし、その室外側部分５６にビスホール５８を形成したので、下框３２の上下寸法（見付け寸法）がビスホール５８のために大きくなることがない。
つまり、下框３２の室外側横向部３２ａの室外側部分の肉厚を室内側部分の肉厚よりも大きく、かつ下面をほぼ面一とすると共に、その室外側部分にビスホール５８を形成することで、下框３２の見付け寸法を大きくせずに下框３２と縦框３３を室外側部分でビスによって連結できる。
【００２５】
室外側横向部３２ａの室外側部分５６に形成したビスホール５８の室外側開口縁５８ａを第１係合受部５０としてあるので、第１係合受部５０は室外側横向部３２ａの下面３２ａ−１から下方に突出することがなく、下面３２ａ−１から上方に凹んでいる。
室外側横向部３２ａの室内側横板５５の下面５５ａに凹溝５９を長手方向に連続して形成し、その凹溝５９の室外側開口縁５９ａを第２係合受部５１としたので、第２係合受部５１は室外側横向部３２ａの下面３２ａ−１から下方に突出することがなく、下面３２ａ−１から上方に凹んでいる。
凹溝５９の底面５９ｂが支持面５２であるから、第２係合受部５１に係合した第２係合突部４４の上面を支持面５２に接することができる。
【００２６】
押縁４０は下框３２に次のように取り付けられる。
図７に示すように、押縁４０の突起部４５を下框３２の室外側横向部３２ａの押縁支持部５３の上面５３ａに接することで、押縁４０の下方への動きを規制する。
押縁４０の第１係合突部４３、第２係合突部４４を下框３２の室外側横向部３２ａの第１係合受部５０、第２係合受部５１にそれぞれ係合して押縁４０の室外側方向への動きを規制する。
【００２７】
このように、第１係合突部４３、第２係合突部４４と第１係合受部５０、第２係合受部５１の係合部は押縁４０が室外側方向に動かないようにするから、室内外方向に引っ掛けるように係合すれば良く、上下方向（見付け方向）に係合する必要がなく、その係合部の高さＨ１（見付け方向の寸法）を従来よりも小さくできるから、押縁４０の縦向片４１の見付け寸法Ｈ２、つまり押縁４０の外部見付け寸法を小さくして意匠性を向上できる。
【００２８】
しかも、第１係合受部５０はビスホール５８の室外側開口縁５８ａで、第２係合受部５１は凹溝５９の室外側開口縁５９ａであるから、第１係合受部５０、第２係合受部５１は室外側横向部３２ａの下面３２ａ−１から下方に突出することがなく、第１係合突部４３をビスホール５８内に挿入し、第２係合突部４４を凹溝５９内に挿入して係合することができ、縦向片４２の見付け寸法Ｈ２をより一層小さくできる。
【００２９】
押縁４０の第２係合突部４４が下框３２の室外側横向部３２ａの支持面５２（凹溝５９の底面５９ｂ）に接し、その部分で押縁４０の反時計方向の下向き方向への回転を防止する。
しかも、押縁４０の重心Ｇは、突起部４５と押縁支持部５３との接触部よりも室外側寄りで、その接触部は第２係合突部４４と支持面５２との接触部よりも室外側寄りであるから、押縁４０には自重により突起部４５と押縁支持部５３との接触部を支点として反時計方向の回転力が生じ、第２係合突部４４が支持面５２に押しつけられるので、押縁４０が下框３２から外れることがない。
【００３０】
次に、下の押縁４０の取り付けについて説明する。
図２に示すように、下の押縁４０は左右の縦の押縁３３ｂ間に渡って取り付けられる。
図７に示すように下の押縁４０の縦向片４２の上端面４２ｂと縦の押縁３３ｂの下端面３３ｂ−１とが相対向し、その両者の間にクリアランスが生じないように取り付ける。
【００３１】
下の押縁４０は下框３２に見込み方向の室外側から取り付けるが、押縁４０の突起部４５が下框３２の押縁支持部５３の上面５３ａに接し、第１係合突部４３、第２係合突部４４が第１係合受部５０、第２係合受部５１に係合するので、押縁４０を横向片４１が水平で、縦向片４２が垂直である取付姿勢として室内側に向けて移動して取り付けしようとすると、押縁４０の第２係合突部４４が下框３２の室外側横向部３２ａの室外側端面に干渉したり、突起部４５が押縁支持部５３の室外側端面５３ｂに干渉するので、押縁４０を取り付けできない。
【００３２】
そこで、図８に示すように、縦の押縁３３ｂを縦框３３に取り付けた状態で、下の押縁４０を取付姿勢に対して見込み方向の室内側に傾斜した姿勢とし、縦向片４２の上端部を縦の押縁３３ｂよりも室内側寄りとなるように下框３２の室外側横向部３２ａに挿入することで、突起部４５の下向突部４５ａを下框３２の押縁支持部５３の凹部５４に嵌め合わせて仮取付姿勢とする。このとき、第１係合突部４３、第２係合突部４４は第１係合受部５０、第２係合受部５１よりも下方に位置する。
下の押縁４０の仮取付姿勢とは、横向片４１の室内側端が室外側端よりも低くなるように水平に対して傾斜し、第１係合突部４３、第２係合突部４４が下框３２の第１係合受部５０、第２係合受部５１と干渉しないと共に、縦向片４２の上端部が下端部よりも室内側寄りとなるように垂直に対して室内側に向けて傾斜した姿勢であり、縦向片４２の上端部は面材３０ｂに当たらない姿勢となっている。
【００３３】
図８に示す仮取付姿勢の下の押縁４０を、突起部４５の下向突起４５ａと押縁支持部５３の凹部５４との嵌まり合い部を支点として矢印で示すように見込み方向の室外側に向けて回転し、図９に実線で示すように横向片４１が水平で、縦向片４２が垂直の取付姿勢とする。
この取付姿勢であると、突起部４５の下向突起４５ａが押縁支持部５３の凹部５４に嵌まり合っているので、下の押縁４０は図７に示す取付状態よりも凹部５４の深さだけ下方に移動して取り付け高さが低くなり、縦向片４２の上端面４２ｂと縦の押縁３３ｂの下端面３３ｂ−１との間にクリアランスＳがあり、下の押縁４０を仮取付姿勢から取付姿勢に回転するときに縦向片４２が縦の押縁３３ｂと干渉することがないようにできる。
【００３４】
下の押縁４０が図９に実線で示す取付姿勢のときには、第１係合突部４３がビスホール５８内に挿入し、かつ第１係合受部５０よりも室内側寄りに位置し、第２係合突部４４が凹溝５９内に挿入し、かつ第２係合受部５１よりも室内側寄りに位置し、支持面５２とは離れる。
【００３５】
図９に実線で示す取付姿勢の下の押縁４０を室外側に移動して図９に仮想線及び図７に示すように取付状態とすることで、突起部４５の下向突起４５ａが押縁支持部５３の凹部５４から外れて上面５３ａに接触するから、下の押縁４０は凹部５４の深さだけ上方に持ち上がり、取り付け高さが高くなるから、縦向片４２の上端面４２ｂと縦の押縁３３ｂの下端面３３ｂ−１との間のクリアランスがなくなる。つまり、押縁支持部５３の上面５３ａに形成した凹部５４は、取付状態の下の押縁４０の突起部４５の下向突起４５ａよりも室内側に位置している。
これとともに、第１係合突部４３、第２係合突部４４が第１係合受部５０、第２係合受部５１にそれぞれ係合し、第２係合突部４４が支持面５２に接する。
これにより、下の押縁４０は時計方向、反時計方向の両方に回転しなくなり、下框３２に不動に固定される。
【００３６】
このようであるから、下の押縁４０を見込み方向に回転すると共に、室外側に移動することで、下の押縁４０を下框３２の室外側から下框３２の室外側横向部３２ａに、縦向片４２の上端面４２ｂと縦の押縁３３ｂの下端面３３ｂ−１との間にクリアランスが生じないように取り付けできる。
【００３７】
前述の実施の形態では、ビスホール５８の室外側開口縁５８ａを第１係合受部５０としたが、凹溝を形成し、その室外側開口縁を第１係合受部５０としても良い。
また、室外側横向部３２ａの下面３２ａ−１に突起を設けて第１係合受部５０、第２係合受部５１としても良い。
【００３８】
前述の実施の形態では、障子３０の障子枠３０ａに面材３０ｂを装着する押縁について説明したが、枠２０にガラス等の面材を装着する嵌め殺し窓の場合でも前述の押縁を用いることができる。
この場合には、枠２０が建具枠で、下枠２２が下横枠材、縦枠２３が縦枠材である。
【符号の説明】
【００３９】
１０…建具、３０ａ…障子枠（建具枠）、３０ｂ…面材、３２…下框（下横枠材）、３２ａ…室外側横向部（横向部）、３２ａ−１…下面、３２ｄ…上向凹部、３３…縦框（縦枠材）、４０…下の押縁、４１…横向片、４１ａ…上面、４２…縦向片、４２ａ…室内側面、４２ｂ…上端面、４３…第１係合突部、４４…第２係合突部、４５…突起部、４５ａ…下向突起、５０…第１係合受部、５１…第２係合受部、５２…支持面、５３…押縁支持部、５３ａ…上面、５４…凹部、５５…室内側部分、５６…室外側部分、５８…ビスホール、５８ａ…室外側開口縁、５９…凹溝、５９ａ…室外側開口縁。
【図１】
2014227788.tif 000003
【図２】
2014227788.tif 000004
【図３】
2014227788.tif 000005
【図４】
2014227788.tif 000006
【図５】
2014227788.tif 000007
【図６】
2014227788.tif 000008
【図７】
2014227788.tif 000009
【図８】
2014227788.tif 000010
【図９】
2014227788.tif 000011